Podtech/llm-jp-corpus-v4-ja_patent huggingface dataset:
(57)【要約】      （修正有）【課題】片手で自分の皿とコップを安定した状態に保てるコップ置き付き紙皿を提供する。【解決手段】コップ置き付き紙皿１に、コップを底から支え安定させる、深さ７ｍｍ前後の窪み３を紙皿の成型に組み込む。【選択図】図１
0003108084.tif 000002
【実用新案登録請求の範囲】
【請求項１】
紙皿と紙コップを用いる立食パーティーなどにおいて、従来は乾杯の後、皿を手にすると、コップをテーブルに置かなければ箸またはフォークが使用しにくかった。皿にコップの置ける本考案「コップ置き付き紙皿」を用いれば、コップを安定した状態で皿と一緒に持ち運べるので、料理を取り分けたあとテーブルから離れて歓談でき、自分のコップがどれであったかと迷うこともない。この本考案の使用方法から、「考案の実施の形態」も「産業上の利用可能性」の展望も推測できよう。
紙皿を成型するという製造工程において、コップを安定させて支える窪み（深さ７ｍｍ前後）を紙皿につけるという工夫を加えたのが本考案の特徴である。
【考案の詳細な説明】
【技術分野】
【０００１】        本考案は、紙皿と紙コップ製造の分野に関するものである。
［背景技術］【０００２】  本考案を工業的製造において実現しようとする場合、紙で皿やコップを大量に成型するという技術は既に実用化されている。
［考案の開示］
［考案が解決しようとする課題］【０００３】  従来販売されてきた紙皿も、多くは成型され製作されてきた。本考案は、紙皿の成型に当たり、載せる紙コップに安定性を与える窪み（深さ７ｍｍ前後）を付けるという点にある。コップの底がしっくりとはまる、コップを支える窪みを、予め紙皿に成型しておけば、立食パーティーにおいて、コップを置いた皿を片手で持つことができて便利である。
［課題を解決するための手段］【０００４】  紙皿を成型するとき、セットにする紙コップの底の大きさと安定性を考えて、窪みをつける。皿の窪みがコップの底の大きさと合わなければ不安定となるので、皿とコップはセットで製造・販売ということになる。紙皿の形は楕円形など自由であり、必ずしも円形である必要はない。紙皿の大きさも自由。紙皿を何十枚も重ねて保管・販売しやすいように、重ねやすさは配慮する必要がある。
［考案の効果］【０００５】  取り分けた料理を載せた皿とコップが片手で持て、皿にコップが安定して載っているならば、立食パーティーなどで席の移動も楽になり、テーブルの周りにもスペースができ、またどれが自分のコップかと迷うこともなくなる。
［考案を実施するための最良の形態］【０００６】  紙コップをしっかりと支える窪みが紙皿に成型されて、使用時に片手で持ちやすいことに主眼がある。保管・運搬・販売において皿は重ねられると思われるので、「コップ置き付き紙皿」は単純な形に成型することが肝要である。
［産業上の利用可能性］【０００７】  人が集まれば会食し、和を生み出そうとするのは万国共通である。だが、できるだけ会食の経費を抑え、環境破壊をしないような素材で製品を製作しようと心がけるべき時代となっている。比較的安価に成型・生産できそうな本考案は、このような時代に有効だと思われる。
【図面の簡単な説明】
【０００８】  ［図１］  本考案の使用状況を示す斜視図（本図は本考案の窪みが見えるよう透明プラスチックなどの透明なコップを用いた場合を仮定した）
［図２］  本考案の皿の窪みを示す斜視図（コップ無し、皿のみ）
［図３］  本考案の断面図
本図の参考として写真を添付し、明確なイメージが得られるようにした。
【符号の説明】
【０００９】１        コップ置き付き紙皿
２        コップ置き付き紙皿に置かれたコップ
３        コップを支え、安定性を与える窪み
４        成型され微かに模様の見える皿の周辺部
５        皿の周辺部の、その内側の浅いへこみ
【図１】
0003108084.tif 000003
【図２】
0003108084.tif 000004
【図３】
0003108084.tif 000005
【手続補正書】
【提出日】平成16年7月5日(2004.7.5)
【手続補正１】
【補正対象書類名】実用新案登録請求の範囲
【補正対象項目名】全文
【補正方法】変更
【補正の内容】
【実用新案登録請求の範囲】
【請求項１】
紙皿と紙コップを用いる立食パーティーなどにおいて、
（１）紙皿と紙コップを片手に持ち、もう一方の手で箸またはフォークが使えるように、
（２）紙コップの底を安定して支える窪み（深さ７ｍｍ前後）を紙皿（円形ないし楕円形）に予め成型して製造し、
（３）セットとして用いる紙皿と紙コップをそれぞれに大量に保管・輸送・販売が可能なように、
（４）使用時に、紙コップを紙皿の窪みに嵌めて安定させることのできるようにしたのが、本考案「コップ置き付き紙皿」。
【手続補正書】
【提出日】平成16年9月21日(2004.9.21)
【手続補正１】
【補正対象書類名】実用新案登録請求の範囲
【補正対象項目名】全文
【補正方法】変更
【補正の内容】
［書類名］    実用新案登録請求の範囲
［請求項１］
紙皿と紙コップを用いる立食パーティーなどにおいて、
（１）紙皿と紙コップを片手に持ち、もう一方の手で箸またはフォークが使えるように、
（２）紙コップの底を安定して支える深さ７ｍｍ前後の窪みを、円形ないし楕円形の紙皿に予め成型して製造し、
（３）セットとして用いる紙皿と紙コップをそれぞれに大量に保管・輸送・販売が可能なように、
（４）使用時に、紙コップを紙皿の窪みに嵌めて安定させることのできるようにした、
コップ置き付き紙皿。
(57)【要約】【課題】手間がかからず、安全性が高い湯たんぽを提供する。【解決手段】容器１は防水布２を上下に重ね、周縁３をヒートシールして作られたもので、容器１の上側には、電源コード４のプラグ６が嵌合するコネクター７を取り付ける。容器内においてコネクターの裏側から防水チューブ８が延びており、その中を通る電線９の先に電熱ヒータ１０とサーモスタット１１が設けられる。コネクター７の片隅に、注水口１４を設ける。【選択図】図２
0003108068.tif 000002
【実用新案登録請求の範囲】
【請求項１】
蓄熱液を溜める容器の中に電熱ヒータを組み込んだ電気加熱式湯たんぽ。
【請求項２】
該容器を防水布で作った請求項１に記載の電気加熱式湯たんぽ。
【請求項３】
該容器の中に蓄熱液を出し入れするための注水口を設けた請求項２に記載の電気加熱式湯たんぽ。
【考案の詳細な説明】
【技術分野】
【０００１】
本考案は寝床や足を暖めるための湯たんぽに関する。
【背景技術】
【０００２】
従来の湯たんぽは、金属、陶器またはプラスチック製の容器の中に熱湯を入れて使うようになっており、使用するたびに熱湯を入れなければならないのでたいへん手間がかかり、熱湯を注ぎ込むときやけどの危険もある。また、容器が硬いので、使用中に足や体が触れたとき、ゴツゴツして違和感がある。
【考案の開示】
【考案が解決しようとする課題】
【０００３】
この考案はこのような湯たんぽの問題点を解消することを課題とする。
【課題を解決するための手段】
【０００４】
この考案の電気加熱式湯たんぽは、蓄熱液を溜める容器の中に電熱ヒータを組み込む（請求項１）。容器の中に水など蓄熱液を入れておき、通電して蓄熱液を加熱してから使用する。このように、この湯たんぽでは、容器の中に熱湯を注ぎこむという危険で手間のかかる作業から開放される。
【０００５】
容器は防水布で作る（請求項２）。防水布は、例えばＰＶＣ（塩化ビニル樹脂）のシートが使える。防水布で容器を作ることで、使用中、足や体が触れたときソフトな感じで違和感がない。また、金属製等のものに比べて軽く形成でき、持ち運びも楽である。
【０００６】
容器の中に蓄熱液を出し入れするための注水口を設ける（請求項３）。蓄熱液は後から注水口を使って入れられるので、容器を萎めた状態で消費者に届けることができ、運搬コストが節減できる。
【考案を実施するための最良の形態】
【０００７】
この湯たんぽの容器１は、六角形に裁断した防水布２を上下に重ね、周縁３をヒートシールして作られたもので、中に水を満たすと饅頭のような形になる（図１および図２）。もちろん、形状はこれに限定されるものではない。防水布２には例えば塩化ビニルシートを使うことができ、薄いものを何枚か重ねてを使用してもよい。容器のサイズの一例をあげると、直径20cm、内容積1リットルほどである。
【０００８】
容器１の上側には、電源コード４のプラグ６が嵌合するコネクター７を取り付ける。図２および図３に示すように、容器内においてコネクターの裏側から防水チューブ８が延びており、その中を通る電線９の先に電熱ヒータ１０とサーモスタット１１が設けられる。プラグ６には赤の通電灯１２と青の待機灯１３を備える。図４は結線図である。コネクター７の片隅に注水口１４が設け、注水口にはメクラ栓を用意する。メクラ栓が外れたとき、液漏れがおきないよう、注水口の内側には逆止弁１６を設けておく。
【０００９】
この湯たんぽは、中に水を入れるまでは容器１は萎んでいる。初めて使用するとき、漏斗などを用いて注水口１４から容器１の中に水を入れ、内部の空気を追い出すようにして注水口１４にメクラ栓１５をする。  商用電源に繋いだ電源コード４のプラグ６をコネクター７にはめ込むと、ヒータ１０に通電され、容器内の水が加熱され（このとき赤ランプ１２が点く。）、水に熱が蓄えられていく。こうして１０分ほど経つと、水温が７０℃くらいまで上がり、サーモスタット１１が切れて、通電が止まる（図４参照）。このとき、赤ランプが消え、青ランプ１３が点く。そのまま放置しておくと、中の水温が下がってくるが、３０℃まで下がると、サーモスタットが働いて再び通電を開始する。青ランプが点いたら、電源コード４を外し、湯たんぽを寝床に持ち込んで使用する。通常の使用であれば、冬季でも８時間は温度を保つ。
【００１０】
なお、容器内の水を抜くときは、メクラ栓１５を外し、注水口１４から細い棒を差し込んで逆止弁１６を開きながら、容器を逆さまにする。
【図面の簡単な説明】
【００１１】
【図１】湯たんぽの斜視図である。
【図２】湯たんぽの断面図である。
【図３】発熱部の斜視図である。
【図４】結線図である。
【符号の説明】
【００１２】
１    容器
２    防水布
１０  電熱ヒータ
１１  サーモスタット
１４  注水口
【図１】
0003108068.tif 000003
【図２】
0003108068.tif 000004
【図３】
0003108068.tif 000005
【図４】
0003108068.tif 000006
(57)【要約】【課題】  集積回路試験用アダプタボードの提供。【解決手段】  モジュール化されたユニットアダプタボードの組合せを利用し、試験装置上部の型板とユニットアダプタボードを接続し、試験回路を形成して集積回路が正常であるかを試験し、複数のユニットアダプタボードの独立接続を利用し、製造工程を加速し、その一部が損壊した時に、その部分のみを交換でき、その実用価値が増された集積回路試験用アダプタボードである。【選択図】        図２
0003108492.tif 000002
【実用新案登録請求の範囲】
【請求項１】
フレームを具え、その上部に型板が組み合わされた集積回路試験用アダプタボードにおいて、フレームの下方に複数のモジュール化されたユニットアダプタボードが設けられ、電線が型板とユニットアダプタボードの間を接続して試験回路を形成したことを特徴とする、集積回路試験用アダプタボード。
【請求項２】
請求項１記載の集積回路試験用アダプタボードにおいて、フレーム内に接地フレームを具え、該接地フレームに複数のストライプ状の金属ブロックが設けられ、各金属ブロックの両側に同じ極性の接合点が設けられ、金属ブロックと各接合点の極性が反対とされたことを特徴とする、集積回路試験用アダプタボード。
【考案の詳細な説明】
【技術分野】
【０００１】
本考案は一種の集積回路試験用アダプタボードに係り、特にその基本構造の改良により試験用アダプタボードの製造に便利で、並びにその使用価値と期限を増したものに関する。
【背景技術】
【０００２】
一般に集積回路の製造においては、その機能が正常であるか否かを確認するため、先に試験を行なわねばならず、異なるサイズ及び機能のＩＣには異なる嵌合型板を使用し、単一の試験装置に提供し、異なるＩＣの試験に応用している。周知の試験装置（図１）はフレーム１を具え、上部にはＩＣを嵌合する型板が組付けられ、下方には単一のアダプタボード３が結合され、別に電線４で型板底面の回路とアダプタボード３表面の回路が接続され、試験回路として提供される。この周知の装置は単一のアダプタボード３を使用しているため、電線を接続する時、相当に面倒で、製作に時間がかかり、且つエラーを発生しやすく、一旦局部が損傷した時には、全体を交換しなければならず、浪費を形成した。
【考案の開示】
【考案が解決しようとする課題】
【０００３】
本考案は周知の構造を改良した集積回路試験用アダプタボードを提供することを課題としている。
【課題を解決するための手段】
【０００４】
請求項１の考案は、フレームを具え、その上部に型板が組み合わされた集積回路試験用アダプタボードにおいて、フレームの下方に複数のモジュール化されたユニットアダプタボードが設けられ、電線が型板とユニットアダプタボードの間を接続して試験回路を形成したことを特徴とする、集積回路試験用アダプタボードとしている。
請求項２の考案は、請求項１記載の集積回路試験用アダプタボードにおいて、フレーム内に接地フレームを具え、該接地フレームに複数のストライプ状の金属ブロックが設けられ、各金属ブロックの両側に同じ極性の接合点が設けられ、金属ブロックと各接合点の極性が反対とされたことを特徴とする、集積回路試験用アダプタボードとしている。
【考案の効果】
【０００５】
本考案はモジュール化されたユニットアダプタボードの組合せを利用し、試験装置上部の型板とユニットアダプタボードを接続し、試験回路を形成して集積回路が正常であるかを試験し、複数のユニットアダプタボードの独立接続を利用し、製造工程を加速し、その一部が損壊した時に、その部分のみを交換でき、その実用価値が増された集積回路試験用アダプタボードを提供している。
【考案を実施するための最良の形態】
【０００６】
図２から図４に示されるように、本考案はフレーム１を具え、その上部に型板２が組み合わされる。本考案の主要な特徴は、フレーム１の下方にモジュール化されたユニットアダプタボード５が設けられ、複数のユニットアダプタボード５が周知の単一式アダプタボード３の代わりに採用され、電線４が型板２とユニットアダプタボード５の間を接続し、試験回路を形成していることにある。
【０００７】
使用時には、集積回路は直接型板２の結合シート内に組み合わされ、電線４及び各ユニットアダプタボード５が形成する回路により集積回路が正常な機能を有するかが試験される。本考案の長所はユニットアダプタボード５を使用する時、単独で電線４と接続でき、これにより容易で且つエラーを発生しにくいことである。このほか、使用過程で、そのうち一部分が損壊した時、簡単にそのユニットアダプタボード５を交換でき、全部を交換する必要はなく、良好な経済性と実用性を獲得できる。
【０００８】
図５、６に示されるのは周知の接地フレームと本考案の接地フレームの構造であり、それは試験装置内部に設けられ、周知の構造（図５）では接地フレーム６にプラスとマイナスの離間した接合点６１、６２が設けられ、接合点６１がプラス極であれば、接合点６２はマイナス極とされ、この順序で接地フレーム６に設けられて一列の状態が形成される。しかしこの方式の利用は不便である。図６に示されるように、本考案の接地フレーム６には、複数のストライプ状金属ブロック６３が設けられ、その両側に同じ極性の接合点６４が設けられ、金属ブロック６３と接合点６４の極性が反対とされ、すなわち予期された効果を達成し、周知の設計に較べて進歩性を有する。
【図面の簡単な説明】
【０００９】
【図１】周知の集積回路試験用アダプタボードの構造図である。
【図２】本考案の立体外観図である。
【図３】図２の部分分解図である。
【図４】図２の別角度の立体図である。
【図５】周知の接地フレームの構造図である。
【図６】本考案の接地フレームの構造図である。
【符号の説明】
【００１０】
１  フレーム        ２  型板          ３  アダプタボード
４  電線            ５  ユニットアダプタボード      ６  接地フレーム
６１、６２  接合点  ６３  金属ブロック              ６４  接合点
【図１】
0003108492.tif 000003
【図２】
0003108492.tif 000004
【図３】
0003108492.tif 000005
【図４】
0003108492.tif 000006
【図５】
0003108492.tif 000007
【図６】
0003108492.tif 000008
(57)【要約】【課題】耐候試験機の光源として用いるアークランプの高圧端子部に高圧端子周囲への放電、及び水分や汚れの付着を防ぐ高圧端子保護カバーを施し点灯を容易に行うようにするための高圧端子保護カバーを提供する。【解決手段】アークランプ本体１の高圧端子２に取り外し可能で絶縁体素材の高圧端子保護カバー３の取り付け器具４を設け、高圧端子保護カバー３は側面に開口部を有する。リード線５を高圧端子保護カバー３の側面開口部に貫通させ、高圧端子２と接続し、高圧端子保護カバー取り付け器具４に、高圧端子保護カバー３を装着し、固定した後高圧端子保護カバー３の開口部を栓６でふさぐことにより、高圧端子周囲への放電及び、高圧端子への水分や汚れの付着によるアークランプの点灯不良を起こさないようにする。【選択図】図１
0003108495.tif 000002
【実用新案登録請求の範囲】
【請求項１】
耐候性試験機の光源として用いるアークランプの高圧端子部を密閉し、高圧端子周囲（の導体）への放電及び、高圧端子部への汚れ、及び水分の付着を防ぐことを特徴とする絶縁体素材の高圧端子保護カバー。
【考案の詳細な説明】
【技術分野】
【０００１】
本考案は耐候性試験機の光源として用いるアークランプの高圧端子保護カバーに関するものである。
【背景技術】
【０００２】
アークランプは耐候試験機の試験槽内で接続され、接続されたアークランプの高圧端子部は試験槽内で露出していた。
【考案の開示】
【考案が解決しようとする課題】
【０００３】
アークランプの高圧端子部分が試験槽内で露出していると、アークランプの高圧端子に高電圧（72,000Ｖ）を印加した際に、高圧端子部と高圧端子周囲の導体間の空気層の絶縁が破壊され、高圧端子部と高圧端子周囲の導体間で放電を起こす場合がある。また、高圧端子部に汚れ、及び試験槽内の温湿度変化による凝縮及び、水スプレーの飛沫による水分が付着し、その水分及び汚れが付着したままで高電圧を印加すると、高圧端子部の水分及び汚れに導通し、アークランプに正常な電圧が印加されず点灯不良を起こし、アークランプを損壊させる恐れがある。従ってアークランプの高圧端子部に、周囲への放電及び、高圧端子部への水分及び汚れの付着を防ぐ、絶縁体素材の高圧端子保護カバーを施すことにより、前述の欠点を解決しようとするものである。  
【課題を解決するための手段】
【０００４】
本考案はアークランプの高圧端子部に、取り外し可能な絶縁体素材の高圧端子保護カバーを取り付ける器具を設け高圧端子保護カバーにリード線を通し、アークランプの高圧端子とリード線を接続した後、高圧端子保護カバーを装着することにより、問題点を解決している。
【考案の効果】
【０００５】
上述のように本考案の高圧端子保護カバーにより、高圧端子部を絶縁体で覆うので高圧端子から周囲への放電が防ぐことができ、また高圧端子部への水分及び汚れの付着を防ぐことができる。これにより点灯不良、及びアークランプ損壊の防止に役立つ。
【考案を実施するための最良の形態】
【０００６】
アークランプの高圧端子部に取り外し可能な絶縁体素材の高圧端子保護カバーを取り付ける器具を設ける。高圧端子保護カバーはリード線が通る開口部を有し、その開口部にリード線を貫通させた状態でリード線とアークランプの高圧端子を接続する。その後高圧端子保護カバーを高圧端子保護カバー取り付け器具に密着させ接続し、高圧端子保護カバーのリード線開口部を栓で密閉しアークランプの高圧端子部を保護する。
【実施例１】
【０００７】
以下、添付図面に従って一実施例を説明する。１は耐候試験機の光源用アークランプ、２はその高圧端子、３は取り外し可能で耐水性のある絶縁体素材（たとえばポリカーボネイト）の高圧端子保護カバーで、上の面が開いていて側面にリード線を通す開口部を設けてある。４は高圧端子保護カバー３を取り付けるための器具でアークランプの部品と一体化しており、高圧端子保護カバー３を固定するためのビスを備えている。
【０００８】
５の栓を取り付けた６のリード線を高圧端子保護カバー３の側面開口部の外側から内側に入れて上の面から出し、アークランプの高圧端子に接続させる。その後高圧端子保護カバー３を高圧端子保護カバー取り付け器具４にしっかりとはめ込み、ビスで固定し、リード線が通る高圧端子保護カバー３側面開口部を栓５でしっかりと閉じる。
【図面の簡単な説明】
【０００９】
【図１】本考案の高圧端子部保護カバーの斜視図
【図２】本考案の高圧端子保護カバーを施した状態での断面図
【符号の説明】
【００１０】
１    アークランプ
２    アークランプの高圧端子
３    高圧端子保護カバー
４    高圧端子保護カバー取り付け器具
５    栓
６    リード線
【図１】
0003108495.tif 000003
【図２】
0003108495.tif 000004
(57)【要約】【課題】従来的な団扇における棒状の握り柄や指孔（把持孔）を排除した柄なし団扇を提供し、握り易さや持ち運びの利便性を改善する。【解決手段】柄なし団扇Ｘが、少なくとも片面の団扇面１の基端部に、該団扇面１を基面として立ち上がる突起体２を凸設した把持操作手段（２）を構成している。また、突起体２の左右両側で団扇面１に係合する止端を離隔配置した補助紐３をアーチ形成又は懸架形成している。ここで、突起体２は団扇骨４の骨株41の面上に形成され、補助紐３の止端31は団扇骨４の中骨群42〔図示〕又は団扇面の外枠５に係合している。【選択図】      図１
0003108469.tif 000002
【実用新案登録請求の範囲】
【請求項１】
団扇面の基端部に延設した握り柄を排除し、突起体による把持操作手段を設けた柄なし団扇であって、
少なくとも片面の団扇面の基端部に、該団扇面を基面として立ち上がる突起体を凸設してなることを特徴とする柄なし団扇。
【請求項２】
突起体の左右両側で団扇面に係合する止端を離隔配置した補助紐をアーチ形成又は懸架形成した請求項１記載の柄なし団扇。
【請求項３】
突起体が団扇骨の骨株の面上に形成されるものであり、
補助紐の止端が団扇骨の中骨群又は団扇面の外枠に係合するものである請求項２記載の柄なし団扇。
【考案の詳細な説明】
【技術分野】
【０００１】
本考案は、新規な団扇に係り、詳しくは、団扇面の基端部に延設した握り柄を排除し、突起体による把持操作手段を設けた柄なし団扇に関する。
【背景技術】
【０００２】
従来より、団扇の把手は、団扇面の基端部から延設した棒状の握り柄として構成されているものが一般的である。そして、団扇面は、団扇骨を基端部（骨株）から放射状に並べて概略扇状に形成し、かつ、表裏に和紙等を表装して板面形成している。
【０００３】
近年では、団扇骨を樹脂成形し、和紙に限らず種々の図柄を印刷したシート素材を表装して板面形成したものがみられる。
【０００４】
一方、棒状の握り柄を排除した団扇としては、伝統的な工芸品として知られ、団扇面と把手を分離可能で結合可能に構成した京団扇（又は都団扇）と称されるもののなかに、偏平な差し込み式の把手（差し柄）として構成されたものがある。
【０００５】
また、ノベルティーとして提供されたりする簡易構造の団扇類があり、板紙等で団扇面を構成し、団扇面の一部に指孔（把持孔）を形成して把手を構成したもがある（例えば、特許文献１、２及び３を参照）。
【特許文献１】特開２００３−６１７２６号公報
【特許文献２】特開平８−１９１７０５公報
【特許文献３】登録実用新案公報３００２７３０号公報
【０００６】
しかしながら、様々な団扇があってよく、把手構造にも改善する余地がある。
【考案の開示】
【考案が解決しようとする課題】
【０００７】
そこで、解決しようとする問題点は、棒状の握り柄や指孔（把持孔）を排除し、かつ、握り易い把手構造とすること、及び持ち運びの利便性を改善することにある。
【０００８】
本考案は、このような事情に鑑みなされたものであって、上記課題を解消し、団扇面の基端部に延設した握り柄を排除し、突起体による把持操作手段を設けた柄なし団扇を提供するものである。
【課題を解決するための手段】
【０００９】
課題を解決するため本考案は、団扇面の基端部に延設した握り柄を排除し、突起体による把持操作手段を設けた柄なし団扇であって、
少なくとも片面の団扇面の基端部に、該団扇面を基面として立ち上がる突起体を凸設してなることを特徴とするものである。
【考案の効果】
【００１０】
この構成によれば、握り易く、持ち運びが便利であり、カバンやバッグへの収納性もよく、手軽に利用できる。また、突起体を指に掛けて把持操作（扇ぐ）ことにより、十分な風量が得られる。
【考案を実施するための最良の形態】
【００１１】
本考案を実施するための最良の形態は、上記構成において、突起体の左右両側で団扇面に係合する止端を離隔配置した補助紐をアーチ形成又は懸架形成している。
【００１２】
ここで、突起体は団扇骨の骨株の面上に形成され、補助紐の止端は団扇骨の中骨群又は団扇面の外枠に係合している。
【実施例】
【００１３】
本考案の一実施例について添付図面を参照して以下説明する。
【００１４】
図１（ａ）は本考案の一実施例である柄なし団扇（以下、実施例団扇。）の正面視説明図であり、図１（ｂ）は右側面視説明図である。
【００１５】
図中、団扇骨４の中骨群41は実線と破線で示し、団扇面１の紙面右側では破線を省略した。
【００１６】
図示するように、実施例団扇Ｘは、団扇面１の片面の基端部に、該団扇面１を基面として立ち上がる突起体２を凸設している。ここで、突起体２は団扇骨４の骨株41の面上に形成され、団扇Ｘの把持操作手段（２）として機能する。
【００１７】
また、突起体２の左右両側で団扇面１に係合する止端31を離隔配置した補助紐３をアーチ形成又は懸架形成している。ここで、補助紐３の止端は団扇骨４の中骨群41〔図示〕又は団扇面１の外枠５に係合している。好適な補助紐３として、市販のボタン式ビニル紐を用いることができるが、これに限定するものではない。
【００１８】
なお、既存の生産設備のまま、樹脂成形品からなる柄つき団扇の柄を除去することにより、本考案構成の柄なし団扇Ｘに変更することも考慮されてよい。
【００１９】
しかしながら、可撓性の団扇面１を確保できるのであれば、団扇骨２の有無は特に問題とならない。基本的には団扇面１に突起体２が形成されればよく、補助紐３は適宜脱着すればよいからである。
【産業上の利用可能性】
【００２０】
本考案は手軽な柄なし団扇として量産可能であり、デザインとしても珍しさがあり、携行容易で操作性もよく実用的であるという点で産業上有益である。
【図面の簡単な説明】
【００２１】
【図１】実施例団扇の（ａ）正面視説明図、及び（ｂ）右側面視説明図である。
【符号の説明】
【００２２】
１  団扇面
２  突起体〔把持操作手段〕
３  補助紐
31  止端
４  団扇骨
41  骨株
42  中骨（群）
５  外枠
Ｘ  柄なし団扇
【図１】
0003108469.tif 000003
(57)【要約】【課題】洋傘を垂直にして、頭の上でさすことは出来ない。それ故片側は傘下が余り、反対側はぬれ易い。この不合理は眞上より見れば丸い傘。本案は傘の中心部を頭上にほぼ一致させる事で、小型の傘でもより大きな傘の効果も生じる卵型改良洋傘を提供するものである。【解決手段】傘骨の一部を長くし、其れに付随する傘布も大きくする事を特徴とする。【選択図】図１
0003108467.tif 000002
【実用新案登録請求の範囲】
【請求項１】
本案は洋傘を開き、垂直にした平面図は、卵型に類似することを特徴とする、改良洋傘である
【考案の詳細な説明】
【技術分野】
【０００１】本考案は、左右何れの肩又、肩前で洋傘をさしても、頭の頂点と、傘の中央部を、ほぼ一致させる事の出来る洋傘に関するものである。
【背景技術】
【０００２】従来は洋傘の柄を握っている手の側は、傘下は余っているが、反対側は、肩より下肢がぬれ易い。それ故に更に大きな傘を必要として経費負擔も大となった。又請求項１の平面図的面積を対地面積と称すれば、風雨で傘を傾けてさす事は対地面積を減少させる事にもなった。
【考案の開示】
【考案が解決しようとする課題】
【０００３】顔の左右何れの肩又は、肩前で洋傘をさしても、傘の中央部は頭上にほぼ一致する事で、従来の欠点を解決するものである。
【考案が解決するための手段】
【０００４】従来の傘の一部の傘骨を長くして、其れに準じて布地も広げ、対地面積の形状が卵型に類似した洋傘とする。
【考案の効果】
【０００５】顔の左右何れで傘をさしても、卵型の突起部の利用で小型の傘でも、より大型の傘の効果を生ずるので、製作原材料の量の減少は、消費者の経済効果、又、雨天歩行時自他共に視野の減少防止の一助ともなる。又廃棄処理費の減少。更に処理量の減少は大気汚染を幾分でも減少、今叫ばれている地球温暖化防止に幾分でも寄与出来ると信ずる
【考案を実施するための最良の形態】
【０００６】通常の降雨時は、傘を握る手の反対の肩側に、卵型の突起部を向け、又微風雨の場合は、傘を傾ける事なく、柄を廻転して其の方向に突起部を向ければよい。垂直線に対し斜めに降る雨は、従来の傘で約７度でぬれる位置と、改良傘１４度の雨とほぼ一致する。
【実施例１】
【０００７】對地面積を円と仮定した場合の比較
従来の傘の半経５０糎の円をＡとし、Ａの半経に１０糎プラスした円をＢとする。改良傘はＡの半経の一部にのみ１０糎プラスした卵型類似の面積をＣとする。Ｃの突出部を更に大きくしてＤとする。Ｄを更に大きくしてＥとするＢはＡの１．４４倍。ＣはＡの１．０８２倍。Ｄは１．１３７倍。Ｅは１．１９２倍。又面積を平方糎で表すと、Ａ７．８５０。Ｂ１１．３０４．Ｃ８．４９７Ｄ８．９２８。Ｅ９．３６０。又従来方式Ｂに対する改良傘の比率はＣ７５．１６。Ｄ７８．９８。仮にＥでさえ８２．８パーセントである。
上記数値の算出は、円とした求積方式の直径×直径×０．７８５とし、Ｂ、Ａ、の差を８等分してＦ、Ｆの４分の１をＧとする。ＣはＡ＋Ｆ＋Ｇ＋Ｇ。ＤはＣ＋Ｆ。ＥはＤ＋Ｆとする。
【実施例２】
【０００８】改良傘も、傘骨傘布は柄の部分より短いので、従来のバンドで容易に固定、格納可能。
Ａの傘布の先端部より、柄の端迄は１５糎内外有る傘が多く見られる。仮りに傘布を１４糎拡大する事は図９、シ、の斜線とした直角三角形と見る時其の底辺。即ち本案での半経の一部拡大の１０糎にほぼ合致する。
【産業上の利用可能性】
【０００９】洋傘の利用度は高い。数多有る必需品の中でも、上位に近いだろう。雨合羽の使用者以外は、老若男女、地位や職種に関係なく、全国各個人の絶対必需品で人の一生には、復数的に使用されている。又破損もし易く、購入直後でも風雨で一瞬にしての破損も珍しくなく、廃棄処分量も甚大である。
本考案は小型でも大型傘に準するので、製作原材料の２０パーセント内外の節減は利用者の経費節減効果ともなる。又破損廃棄処理にも減量、処理費も節減。更に現在叫ばれている、大気汚染源の減少ともなり地球環境に大いに関係もする。又傘の小型化と、其の形状が共に雨天時、歩行の視野の減少防止効果となり交通上の益となる。更に、洋傘の利用は国内のみならず、世界各国に於ても使用されており、前述の生産から廃棄処理迄を考へた時本考案の効果即ち２０パーセント内外の節減は地球温暖化防止の効果に幾分なりとも貢献出来る事を信じている
【図面の簡単な説明】
【００１０】
【図１】改良傘を垂直にさした正面図
【図２】図１の対地面積の形状
【図３】従来の傘を垂直にさした正面図
【図４】図３の対地面積の形状
【図５】図４の従来拡大対地面積形状
【図６】改良傘Ｃの対地面積形状
【図７】改良傘Ｄの対地面積形状
【図８】改良傘Ｅの対地面積形状
【図９】卵形突起断面図の類似直角三角形
【符号の説明】
【００１１】Ａ  半経５０糎の円の面積
Ｂ  半経６０糎の円の面積
Ｃ  Ａ＋Ｆ＋Ｇ＋Ｇの面積
Ｄ  Ｃ＋Ｆの面積
Ｅ  Ｄ＋Ｆの面積
Ｆ  Ｂ−Ａの８分の１の面積
Ｇ  Ｆの４分の１の面積
Ｓ  垂直線
ア  断面図、Ａの傘布の先端部で三角形の頂点
シ  直角三角形図９の斜線
テ  卵形突起部図９直角三角形底辺
ト  卵形突起部
ド  角度、７度、１４度
ヌ  ぬれ易い分岐点
【図１】
0003108467.tif 000003
【図２】
0003108467.tif 000004
【図３】
0003108467.tif 000005
【図４】
0003108467.tif 000006
【図５】
0003108467.tif 000007
【図６】
0003108467.tif 000008
【図７】
0003108467.tif 000009
【図８】
0003108467.tif 000010
【図９】
0003108467.tif 000011
(57)【要約】【課題】  非常時や特殊な箇所においてその都度縛る手間を要することなく、また簡易かつ迅速に人体や荷物等を拘束し保持することのできるロープ状の拘束具を提供する。【解決手段】  互いに非接着かつ平行状に重ねられた２本のロープ体１Ａ，１Ｂを中に貫通させて非移動かつ強制滑動しうる短筒体２を、当該ロープ体１Ａ，１Ｂにおいて貫通設置し、かつそのロープ体１Ａ，１Ｂの両端部に短筒体２の逸脱防止塊３を形成する。また短筒体２は複数個貫通設置する。【選択図】  図１
0003108448.tif 000002
【実用新案登録請求の範囲】
【請求項１】
互いに非接着かつ平行状に重ねられた２本のロープ体を中に貫通させて非移動かつ強制滑動しうる短筒体を、当該ロープ体において貫通設置し、かつそのロープ体の両端部に該短筒体の逸脱防止塊を形成したことを特徴とする簡易拘束具。
【請求項２】
ロープ体に貫通設置される短筒体が複数個である請求項１記載の簡易拘束具。
【考案の詳細な説明】
【技術分野】
【０００１】  この考案は、人体や荷物などを簡易かつ迅速に拘束し保持するためのロープ状簡易拘束具に関する。
【背景技術】
【０００２】  人命を水難その他窮地から救助したり荷物を運搬したりする際には、一般にロープで人や物を縛り拘束して引き上げ、或いは保持しているのが普通である。その他、金属やプラスチックのストッパーを用いることもあるが、これは主に荷造りの場合であり、人体に対しては通常行なわれない。
【考案の開示】
【考案が解決しようとする課題】
【０００３】  上記のような在来の縛りによる拘束手段は、縛る作業に両手を要し、手間がかかるばかりか、容易に解けないようにするには特殊な縛り目にする必要があるなど、特に緊急時の際には対処できないようなケースも生じがちであった。【０００４】  本考案はかかる問題点を解決して、その都度縛る手間を要することなく、簡易かつ迅速に人体や荷物等を拘束し保持することのできるロープ状の拘束具を提供することを課題とする。
【課題を解決するための手段】
【０００５】  互いに非接着かつ平行状に重ねられた２本のロープ体１Ａ，１Ｂを中に貫通させて非移動かつ強制滑動しうる短筒体２を、当該ロープ体１Ａ，１Ｂにおいて貫通設置し、かつそのロープ体１Ａ，１Ｂの両端部に短筒体２の逸脱防止塊３を形成して、本考案の簡易拘束具とする。【０００６】  その際、ロープ体１Ａ，１Ｂに貫通設置される短筒体２が複数個であると、一層作業が容易であり、複数箇所を拘束できるなどの利点がある。【０００７】  ここで用いられるロープ体１Ａ，１Ｂは通常の断面が円形のものが好ましく、２本はそれぞれ同太同長であることを原則とする。【０００８】  またその２本のロープ体１Ａ，１Ｂを重ねて内に貫通させる短筒体２は、図面に示したように両端にかけてテーパを形成して団栗或いはビーズ状にし、ロープ体との段差を無くして、使用感を良くすることが好ましい。【０００９】  なお、短筒体２が逸脱するのを防ぐ逸脱防止塊３は、要するに重ねられた２本のロープ体１Ａ，１Ｂの太さ或いは短筒体２の筒内径より大なる直径の塊であればよいわけであるから、単なる強固な結び目であってもよい。【００１０】  本考案の簡易拘束具を使用するには、図２のように片側の逸脱防止塊３により塞き止められた短筒体２とその近辺の別の短筒体２との間に形成される２本のロープ体１Ａ，１Ｂを離し広げた中の小リングスペースｒｓ内に該ロープ体１Ａ，１Ｂの他端を通して大リングスペースＲＳを形成し、その中に例えば手首などを通して引っ張れば、２本のロープ体１Ａ，１Ｂのもつ摩擦力で縛り状態となったまま安定する。【００１１】  また該ロープの別の箇所で、例えば図２の右部に示すように、二つの短筒体２の間でロープ体１Ａ，１Ｂを広げて小リングスペースｒｓを作り、その中に逸脱防止塊３で塞き止められた短筒体２を有する該ロープの端を通して大リングスペースＲＳを作り、そこに縛るべきものを通して短筒体２間の間隔を狭め、安定的に固定させることもできる。
【考案の効果】
【００１２】  このように本考案によれば、対象物を縛り拘束するにあたり結ぶ操作を必要とせず、甚だ迅速かつ容易に固定できしかも解けにくいから、非常時や特殊な箇所の拘束必要時において甚大な効果がある。
【考案を実施するための最良の形態】
【００１３】  ２本のそれぞれ太さ１ｃｍ弱で長さ約２ｍのナイロンザイル様ロープを一緒にかろうじて通すことのできる筒内径を有する長さ約３ｃｍ、中央部の太さ約２ｃｍの団栗ないしビヤ樽形の短筒体を８個、上記２本のロープに通して、該ロープの両端に結び目を固定形成する。その際、短筒体はロープを真っすぐに伸ばした状態では力ずくで滑動するものの、拘束して曲がった状態では金輪際滑動しない程度にすることが望ましい。これは試作により十分に製作可能であることが判明している。なお本考案は上記の例に限定されるものでないことは言うまでもない。
【産業上の利用可能性】
【００１４】  既に述べたように、本考案に用いられる部材や製作技術は全く現実的な範囲のものであり、また効果やニーズも確かなものであるから、産業上の利用可能性は十分であるといえる。
【図面の簡単な説明】
【００１５】
【図１】本考案一例の見取図
【図２】本考案を使用する状態を示す見取図
【符号の説明】
【００１６】１Ａ，１Ｂ……ロープ体
２……短筒体
３……逸脱防止塊
ＲＳ……大リングスペース
ｒｓ……小リングスペース
【図１】
0003108448.tif 000003
【図２】
0003108448.tif 000004
(57)【要約】【課題】本考案は、多数の顧客から預かった自動車の、点検整備や車検の際に使用する車の鍵の管理を、簡素化することを目的として、鍵に特別のタグを装着して、鍵管理の負担や間違いを軽減する。【解決手段】タグ本体（１）に記入欄（２）を設け、その上端に吊穴（３）を設ける、またその下端には、止穴（４）を設けて、さらにタグ本体（１）の下端に、一体に形成した止突起（５）を付けたタグ帯（６）を設ける、そしてこのタグ帯（６）を折り曲げて、止突起（５）を止穴（４）に挿入して止めると、輪になることを特徴とし、この輪に鍵を通して装着する。【選択図】      図２
0003108401.tif 000002
【実用新案登録請求の範囲】
【請求項１】
タグ本体（１）に記入欄（２）を設け、その上端に吊穴（３）を設ける、またその下端には、止穴（４）を設けて、さらにタグ本体（１）の下端に、一体に形成した止突起（５）を付けたタグ帯（６）を設ける、そしてこのタグ帯（６）を折り曲げて、止突起（５）を止穴（４）に挿入して止めると、輪になることを特徴とする、鍵管理用タグ。
【考案の詳細な説明】
【技術分野】
【０００１】  本考案は、自動車整備工場等で顧客から預かった車の鍵を、簡単に管理整理するための、タグに関するものである。
【背景技術】
【０００２】  従来、顧客から預かる車の鍵は、鍵単体およびバネ鋼リング付きで預かっていた。
【考案の開示】
【考案が解決しようとする課題】
【０００３】  自動車の車検時期には、多くの鍵を預かるが、顧客名、自動車車種別に管理するすることは大変であった。
本考案は、このような問題を改善する為になされたものである。
【課題を解決するための手段】
【０００４】  タグ本体（１）の表面に、整理番号、車名、年式、車体色、備考等の記入欄（２）を設ける。その上端にタグ本体（１）を吊るすための、吊穴（３）を設ける。またその下端に、止穴（４）を設け、この止穴（４）より、さらに下側にタグ本体（１）と一体に形成した、止突起（５）を具備したタグ帯（６）を設ける。この構成により、タグ帯（６）を折り曲げて、止突起（５）を止穴（４）に挿入して係止するとタグ帯（６）は輪になり、予めこのタグ帯（６）に自動車の鍵等を通しておけば、リング状のタグ帯（６）に鍵を装着することができる。
本考案は、以上のような構成よりなる鍵管理用タグである。
【考案の効果】
【０００５】  顧客の整備車は、車名、車体色の違い等と多くの車種を預かり、その車の鍵を管理するのは、大変であった。しかし本考案を装着したことにより、鍵を保管するだけで、管理番号、車名、年式、車体色、その他備考欄もあり、このタグにより、視覚的に管理が容易になり、作業効率が大幅に改善された。
【考案を実施するための最良の形態】
【０００６】  本考案は図１のごとく、タグ本体（１）の表示部分に、整理番号、車名、年式等、また車体色や備考等の記入欄（２）を設ける。そしてタグ本体（１）の上端部分に吊穴（３）を設け、ここに釘やヒートンの頭を引掛けて吊るすのである。【０００７】つぎに、下端部分に止穴（４）を設け、この止穴（４）の下側にタグ本体（１）と一体に形成した、タグ帯（６）を設ける。さらにタグ帯（６）の先端には、止突起（５）を設ける。
本考案は、以上のような構成であり、これを使用するには、【０００８】  図２のごとく、預かった顧客の車の鍵を、タグ本体（１）のタグ帯（６）を鍵に通して、曲げて行き輪を作り、タグ帯（６）の先端の止突起（５）を止穴（４）に挿入して係止すればよい。これで鍵はタグ本体（１）と共に、吊るすことが出来る。
そして、記入欄に整理番号、車名、年式、車体色、備考に顧客名等連絡事項等を記入しておけば、鍵の管理に非常に重宝である。そして、鍵を顧客に返還する場合は、タグ帯（６）から外すだけでよい。
【図面の簡単な説明】
【０００９】
【図１】    本考案の斜視図である。
【図２】    本考案の実施図である。
【符号の説明】
【００１０】      １  タグ本体
２  記入欄
３  吊穴
４  止穴
５  止突起
６  タグ帯
【図１】
0003108401.tif 000003
【図２】
0003108401.tif 000004
(57)【要約】【課題】携帯電話機に様々な形や色彩、絵柄を施した個性を主張できる物を提供したい。【解決手段】課題を解決するため、携帯電話機の形を卵の形、球体、固定電話機の受話器の形状の携帯電話機を提供、様々な色彩、絵柄を施せる形態を提供した。【実用新案登録請求の範囲】
【請求項１】
卵形の携帯電話機
【請求項２】
球体の携帯電話機
【請求項３】
固定型電話機の受話器型携帯電話機
【考案の詳細な説明】
【技術分野】
【０００１】Ｈ０４Ｍ１／０２
【背景技術】
【０００２】これまでの携帯電話機に形や個性を表現した物が少ない為、新規性を提供したい。
【考案の開示】
【考案が解決しようとする課題】
【０００３】携帯電話機に様々な形や色彩、絵柄を施した個性を主張できる物を提供したい。
【課題を解決するための手段】
【０００４】課題を解決するため、携帯電話機の形を卵の形、球体、固定型電話機の受話器型の形状の携帯電話機を提供、様々な色彩、絵柄を施せる形態を提供した。
【考案の効果】
【０００５】本考案の効果により、卵型や球体の携帯電話機に様々な絵柄、色を描くことで、形だけでなくいろいろな個性を提供できた。又、固定型電話機の受話器型の携帯電話機はレトロ的感覚や新規性感覚を提供できた。
【考案を実施する為の最良の形態】
【０００６】卵型や球体型の携帯電話機が転がりまわらないように、表面にディンプル加工を施したり、一部フラットな部分を加工することで転がり防止できる、又、転がり防止が無くとも良い。又、本体表面の素材はプラスチック等が良いが、ゴム系でも手触りが面白い。又電話機は、二つ折れの開閉式にする事で電話機の操作性を提供した。
【実施例】
【０００７】卵型や球体型は、二つ折れの開閉式にし、操作面を内面に装備する事で操作性を提供した。又、様々な絵柄、色を施す事で、様々な擬態をを提供できる。例えると野球ボール、ゴルフボール、スイカ、目玉、ビリヤード球、キャラクターの絵などである。又、固定型電話機の受話器型携帯電話機は新旧色々な形があるが旧式のダイヤル型の電話機の受話器にする事でレトロ的な感覚を提供できた。
【産業上の利用可能性】
【０００８】携帯電話機の更なる形、絵柄、色などによる、ユーザーに対する新規性、個性を提供できる。
【図面の簡単な説明】
【０００９】
【図１】  卵型の携帯電話機の側面図である。
【図２】  卵型の携帯電話機の使用時の平面図である。
【図３】  球体の携帯電話機の側面図である。
【図４】  球体の携帯電話機の使用時の平面図である。
【図５】  固定型電話機の受話器型携帯電話機の側面図である。
【符号の説明】
１  スピーカー部分である。
２  マイク部分である。
３  液晶パネルである。
４  操作パネルである。
５  受話器コード型ストラップである。
【図１】
0003108402.tif 000002
【図２】
0003108402.tif 000003
【図３】
0003108402.tif 000004
【図４】
0003108402.tif 000005
【図５】
0003108402.tif 000006
(57)【要約】【課題】発生する熱を有効に放熱して、損傷を防ぐ発光ダイオードの放熱フレーム構造を提供する。【解決手段】発光ダイオードの放熱フレーム構造は、二本のフレーム内のLEDチップを積載する箇所に、厚めの放熱区を形成し、その放熱区によってLEDチップが運転時に発生する熱を吸収する。金属材による吸熱及び放熱効果により、発光ダイオード運転を維持する温度に保たれ、過熱による損傷を防止する。【選択図】図２
0003108452.tif 000002
【実用新案登録請求の範囲】
【請求項１】
主に二本の異なる電極の金属フレームから構成された発光ダイオードの放熱フレーム構造において、そのうち、このフレームは、LEDチップ積載箇所に厚みのある放熱区を形成し、その放熱区によってLEDチップの運転時に発生する熱を吸収、放熱し、発光ダイオード運転を維持する温度にすることを特徴とする発光ダイオードの放熟フレーム構造。
【請求項２】
発光ダイオードの放熱フレーム構造は、液晶ディスプレイに使用され、その発光ダイオードは二本の異なる電極を具えた金属フレーム上にLEDチップを設置し、LEDチップから発する光源により、液晶ディスプレイが表示されるもので、そのうち、フレームは、LEDチップ積載箇所に厚みのある放熱区を設置し、その発光ダイオードを箱体内に固定し、その箱体によって、発光ダイオードを液晶ディスプレイの適する位置に設置しやすいことを特徴とする発光ダイオードの放熱フレーム構造。
【請求項３】
前記箱体は、材質がプラスチックで、材質はPPA(ポリフタルアミド)に限らないことを特徴とする請求項２記載の発光ダイオードの放熱フレーム構造。
【請求項４】
前記箱体は、その底側が二本のフレーム位置に対応し、それぞれ窓が成形されて、そこから二本のフレームが外に出ることを特徴とする請求項2記載の発光ダイオードの放熱フレーム構造。
【考案の詳細な説明】
【技術分野】
【０００１】
本考案は、発光ダイオードの放熱フレーム構造に関するもので、放熱効果を高めるフレーム構造である。
【背景技術】
【０００２】
発光ダイオードは、半導体から構成され、半導体チップ内の電子と正孔が結合して光を発生させ、異なる周波数のスペクトルを発生する発光部品である。その構造は、n型半導体とp型半導体が結合してLEDチップを構成する。通電すると、n型半導体の余った電子がp型半導体の正孔へ流れ、電位の差により、n型半導体の電子がp型半導体の正孔へ入る過程で、エネルギーが発生し、そのエネルギーが光となり、異なる波長の光線が発生する。
【０００３】
図1に示すのは、一般的な発光ダイオードの基本フレーム構造図で、そのうち、発光ダイオードには二本のフレーム10が設置される。更にLEDチップ20は絶縁方式でフレーム10一本に固定されている。そして金ワイヤー30(もしくは同じ導電機能を具える導線)によって、LEDチップ20の電極層21とフレーム10が連結する。これにより、二本のフレーム間には異なる電圧が加わり、二個の異なる電極(正、負極)のフレーム10が形成され、そして電子と正孔の結合により、エネルギーが放出されて光となる。
【考案の開示】
【考案が解決しようとする課題】
【０００４】
解決しようとする問題点は、発光ダイオードのLEDチップ20が運転される時、発生する熱は有効に放熱されないため、発光ダイオードの温度は徐々に上がり、過熱すると、運転できなくなる点である。
【課題を解決するための手段】
【０００５】
本考案は、二本のフレーム内のLEDチップを積載する箇所に、厚めの放熱区を形成し、その放熱区によってLEDチップが運転時に発生する熱を吸収する。金属材による吸熱及び放熱効果により、発光ダイオード運転を維持する温度に保たれ、過熱による損傷を防止することを最も主要な特徴とする。
【考案の効果】
【０００６】
本考案の発光ダイオードの放熱フレーム構造は、発生する熱を有効に放熱して、損傷を防ぐという利点がある。
【考案を実施するための最良の形態】
【０００７】
図2は、本考案の発光ダイオード基本構造で、そのうち、二本の異なる電極の金属フレーム10を設置する。更にLEDチップ20を絶縁方式で、フレーム10の一本に固定し、金ワイヤー30もしくは同等の導電機能を具えた導線で、LEDチップ20の電極層21と各フレーム10を連結する。これによって、二本のフレーム間に電圧が加わると、電子と正孔が結合してエネルギーを放出し、光を発する。
【０００８】
フレーム10は、LEDチップ20を積載した箇所が厚みを持った放熱区11と成る。図3に示すとおり、LEDチップ20は絶縁方式で放熱区11上に固定され、金ワイヤー30もしくは同等の導電機能を具える導線でLEDチップ20の電極層21と各フレームを連結し、これにより、放熱区11がLEDチップ20運転時に発生する熱を吸収し、金属材による吸熱及び放熱効果を得る。発光ダイオードを運転持続できる温度にすれば、過熱による損傷が減少する。
【０００９】
更に、発光ダイオードを箱体40内に固定する。図4に示すとおり、この箱体40はプラスチック材で、PPA(ポリフタルアミド)で製造したものに限らない。その底側の二本のフレーム10に対応する位置には、それぞれ窓41が成形され、そこから二本のフレーム10が外に出て回路板50に固定される。この箱体40により、発光ダイオードを液晶ディスプレイの適する位置に固定するのに便利であり、LEDチップ20から発生する光源によって、液晶ディスプレイが表示され、箱体40の材質によって、異なるプリズム効果が表れ、輝度が向上する。
【００１０】
更に、この箱体40内には、一個以上の放熱区11が設置され、そこに異なる色のLEDチップ20を設置する。図5に示すとおり、各LEDチップ20の異なる色を混合して必要な光源色を出す。
【図面の簡単な説明】
【００１１】
【図１】公知の発光ダイオードフレーム構造指示図である。
【図２】本考案の発光ダイオードフレーム構造指示図である。
【図３】本考案の発光ダイオードフレームの別角度からの指示図である。
【図４】本考案の発光ダイオードフレームと箱体の構造指示図である。
【図５】本考案の発光ダイオードフレームと箱体の別種配置方式指示図である。
【符号の説明】
【００１２】
10  フレーム
11  放熱区
20   LEDチップ
21  電極層
30  金ワイヤー
40  箱体
41  窓
50  回路板
【図１】
0003108452.tif 000003
【図２】
0003108452.tif 000004
【図３】
0003108452.tif 000005
【図４】
0003108452.tif 000006
【図５】
0003108452.tif 000007